(57)【要約】【課題】測長の基準とする部分に固定しやすいフック部を備えるとともに、メジャーテープの巻き戻し時の衝撃を緩和できる巻尺を提供する。【解決手段】巻尺１は、ケース２に収容されたメジャーテープ３が、ケース２に設けられた繰り出し口８を通して引き出されたり巻き戻されたりする。メジャーテープ３の先端のフック部９に、表面と裏面とに露出するように磁石１０を取り付けた。また、メジャーテープ３の繰り出し口８に、巻き戻し時の衝撃を緩和するクッションを設けている。【選択図】      図１
2004239787.tif 000002
【特許請求の範囲】
【請求項１】
ケースに収容されたメジャーテープが、ケースに設けられた繰り出し口を通して引き出されたり巻き戻されたりする巻尺であって、メジャーテープの先端のフック部に、表面と裏面とに露出するように磁石が取り付けられていることを特徴とする巻尺。
【請求項２】
上記の磁石が、上記のフック部を表裏間に貫通する状態で取り付けられていることを特徴とする請求項１に記載の巻尺。
【請求項３】
上記の磁石が、上記のフック部に設けられた穴に圧入されて取り付けられていることを特徴とする請求項１または２に記載の巻尺。
【請求項４】
上記のメジャーテープの繰り出し口に、巻き戻し時の衝撃を緩和するためのクッションが設けられていることを特徴とする請求項１〜３のいずれかに記載の巻尺。
【請求項５】
上記の磁石が、上記のフック部の裏面に突出してはいないことを特徴とする請求項１〜４のいずれかに記載の巻尺。
【請求項６】
上記のフック部に筒状部が形成されていて、その内部に磁石が嵌め付けられていることを特徴とする請求項１〜５のいずれかに記載の巻尺。
【請求項７】
上記のフック部は、磁石を含む厚さの分だけ前後移動できるようにメジャーテープに取り付けられていることを特徴とする請求項１〜６のいずれかに記載の巻尺。
【発明の詳細な説明】
【０００１】
【発明の属する技術分野】
請求項に係る発明は、ケースに収容されたメジャーテープが、ケースに設けられた繰り出し口を通して引き出されたり巻き戻されたりする巻尺に関するものである。
【０００２】
【従来の技術】
メジャーテープの先端にＬ字形状のフック部が備えられている巻尺は、ケースからメジャーテープを繰り出すとともに、測長の基準とする部分（面状の部分）にフック部の表面を押し当てたり裏面を引っ掛けたりして計測を行う。基準とする部分に磁力等でフック部が固定されれば、とくに長い距離を計測するときなどに、一人でも正確な計測ができて都合がよい。
【０００３】
そのような目的で考案された巻尺の一つとして、下記の特許文献１に記載されたものがある。図７に示すように、その文献中の巻尺１’は、ケース２’に収納されたメジャーテープ３’の先端にＬ字形状のフック部（引っ掛け爪）９’が設けられていて、その表面（表側、すなわちケースから遠い側の面）に磁石１０’が跳ね上げ可能に取り付けられている。
測長するときには、磁石１０’をフック部９’の表面に付けた状態（つまり図示のように下ろした状態）で、基準とする部分にフック部９’を押し当てる。基準とする部分が磁性体であれば、磁石１０’がその部分に付くので、フック部９’が固定されて測長作業を行いやすくなる。
【特許文献１】実用新案登録第３００６８８６号公報
【０００４】
【発明が解決しようとする課題】
上記の特許文献１の巻尺では、基準とする部分にフック部の裏面を引っ掛けて測長したい場合、磁石による十分な結合力が得られにくい。磁石と基準とする部分との間にフック部が介在するので、その裏面にまでは磁石の力が十分に強くは伝わらないのである。したがって、基準とする部分にフック部を固定することが困難な場合も多くなる。
【０００５】
また、メジャーテープを迅速に巻き戻す時などに、フック部が勢いよくケースに当たると、その衝撃で、磁石が損傷したり脱落したりする恐れがある。フック部に磁石を取り付けると、その分だけフック部の慣性質量が増すので、ケースに当たるときの衝撃も大きくなり、損傷や脱落等の不都合が生じやすい。
【０００６】
以上の点を考慮して、請求項による発明は、測長の基準とする部分に固定しやすいフック部を備える巻尺や、さらには、メジャーテープの巻き戻し時の衝撃を緩和できる巻尺を提供することを目的とする。
【０００７】
【課題を解決するための手段】
請求項１に記載した巻尺は、ケース内のメジャーテープが繰り出し口を通して出し入れされる巻尺であって、メジャーテープの先端のフック部（メジャーテープの長手方向から概ね直角に曲がった、係止爪となる部分）に、表面（メジャーテープの先の方、つまりケースから遠い表側の面）と裏面（ケースに近い裏側の面）とに露出するように磁石が取り付けられていることを特徴とする。
この巻尺は、フック部の両面に磁石が露出しているので、測長の基準とする部分（磁性を備えた面）にフック部の表側を押し当てる場合と、同部分にフック部の裏側を引っ掛ける場合とのいずれにおいても、磁石の力を十分に発揮させて、基準とする部分にフック部を固定することができる。そのため、巻尺による測長作業が行いやすくなる。
【０００８】
請求項２に記載した巻尺はとくに、上記の磁石が、上記のフック部を表裏間に貫通する状態で取り付けられていることを特徴とする。
フック部の表面と裏面とに露出するように磁石を取り付けるには、表面・裏面のそれぞれに別の磁石を付けるようにするのもよい。しかし、この請求項の発明のようにフック部を貫通させて磁石を取り付けると、１個の磁石をフック部の両面に露出させることができるので、磁石の数が少なくてすみ、製造コストを低下させることができる。
【０００９】
さらに、請求項３に記載した巻尺のように、上記の磁石は、フック部に設けられた穴に圧入されて取り付けられているのが好ましい。圧入は、磁石を、その外法寸法（外径など）よりも内法寸法（内径など）の小さめの穴（したがって締めしろがある穴）に、圧力をかけて押し込むことをいう。
圧入による磁石の取り付けは、取り付けのための部品（ボルト・ナット等）や接着剤が不要になるので、製造コストをさらに削減できる。
【００１０】
請求項４に記載した巻尺は、さらに、上記のメジャーテープの繰り出し口に、巻き戻し時（つまり、メジャーテープがケース内に引き込まれてフック部が繰り出し口に当たるとき）の衝撃を緩和するためのクッションが設けられていることを特徴とする。クッションは、どのような構造のものでもよいが、たとえば、弾性変形しやすい部材を、繰り出し口の、フック部の当たる位置に設けるとよい。
この巻尺は、引き出したメジャーテープを、ケース内のスプリング等の作用で迅速に巻き戻すときも、フック部が繰り出し口に当たるときの衝撃をクッションによって小さくする。そのため、磁石やフック部、さらにはケース（の繰り出し口付近）が破損しがたく、また、フック部からの磁石の脱落も効果的に防止される。
【００１１】
請求項５に記載した巻尺はとくに、上記の磁石が、上記のフック部の裏面に突出してはいないことを特徴とする。つまり、磁石のうちケース寄りの端面が、フック部の裏面と同一の面内にあり、またはフック部の裏面よりも前方（ケースから離れた側）にあるようにするのである。
このように磁石を配置すれば、メジャーテープを巻き戻したとき繰り出し口に磁石が強く当たることを避けられる。そのため、磁石の損傷や脱落がさらに効果的に防止される。
【００１２】
請求項６に記載の巻尺のように、上記のフック部に筒状部が形成されていて、その内側に磁石が嵌め付けられているのもよい。筒状部は、フック部の面（表面または裏面）と直角に中心軸線を有する円筒状または角筒状の部分で、図６中の符号１９がその一例である。
筒状部の内部に磁石が嵌め付けられると、フック部と磁石との接触面積が大きくなるので、磁石をフック部にて強く拘束し、かつ保護することになり、その脱落や損傷をとくに効果的に防止できる。たとえば図６のように筒状部の端部から磁石が突出しないように取り付ければ、基準とする部分にフック部を押し当てたり引っ掛けたりするとき、またはメジャーテープをケース内に巻き戻すとき等に磁石が外力を受けにくい。その点は、磁石の脱落や損傷を防止するうえで最も有利である。
【００１３】
請求項７に記載した巻尺は、上記のフック部が、磁石を含む厚さの分だけ前後移動できるようにメジャーテープに取り付けられていることを特徴とする。
このように構成した巻尺は、メジャーテープを押し当てて測長するときのフック部の表面と、引っ掛けて測長するときのフック部の裏面とを、それぞれメジャーテープの基準位置（０ｍｍ点）に合わせることが可能である。したがって、フック部の表裏どちらの面を使っても正確な測長が行える。
【００１４】
【発明の実施の形態】
発明の実施についての一形態を図１〜図５に示す。図１および図２は巻尺１の側面図および正面図である。図３は図２におけるＩＩＩ−ＩＩＩ断面図、図４・図５はそれぞれ、図１におけるＩＶ−ＩＶおよびＶ−Ｖの断面図である。
【００１５】
図１・図２に示す巻尺１は、巻いた状態のメジャーテープ３をケース２内に有するものである。ケース２は合成樹脂製で、それを手に持ちやすくするとともにケース２を保護する目的で、外側にゴム製のカバー４が被せられている。また、ケース２およびカバー４の中央部表面には、ズボンのベルトなどに挟んで固定するための金属製のクリップ５がネジ６にて止め付けられている。メジャーテープ３は、厚さが０．２ｍｍ程度の薄い炭素鋼（ＳＫ材）でできていて、幅は２０ｍｍ程度、長さは約５ｍであって、コイルバネ（図示省略）を内蔵するリール（図示省略）に巻かれてケース２内に収容されている。
【００１６】
ケース２の側面に設けられたストップつまみ７は、上記のコイルバネに抗して引き出したメジャーテープ３を任意の位置（引き出し長さ）で固定するためのもので、図示下方にスライドさせることによりテープ３の固定ができる。ストップつまみ７を逆に上方へスライドさせれば、メジャーテープ３は解放され、コイルバネの作用によりケース２内に巻き戻される。メジャーテープ３の引き出しと巻き戻しは、ケース２の下部に設けた繰り出し口８を通して行われる。
【００１７】
このような巻尺１において、メジャーテープ３の先端（ケース２から出る側の端部）には、図３のように、Ｌ字形状（テープの長手方向に沿った部分とそれに直角な部分とをＬ字の形に一体にしたもの）をしたフック部９が取り付けられている。測長をする際には、測長の基準となる部分にこのフック部９の表面（ケース２から外を向いた面）を押し当て、またはフック部９の裏面（ケース２の側に向いた面）を引っ掛ける。
【００１８】
図２や図３などに示すとおり、フック部９には２個の磁石１０を取り付けている。以下、こうしたフック部９とそれに関連する部分について説明する。
【００１９】
フック部９は、厚さが約１ｍｍの鋼板（ＳＳ４１）である。Ｌ字形状をなすこのフック部９のうち、メジャーテープ３の長さ方向から直角に折り曲げられた屈曲部分に２個の円形穴を貫通形成し、それぞれの穴に、直径５ｍｍ前後・長さ約２ｍｍの円柱形をしたフェライト（Ｎ３５）磁石１０を挿入・固定している。フック部９の穴と磁石１０との嵌め合いは、隙間がなくて締めしろのあるいわゆる締まり嵌めとし、プレス機械を用いて穴に磁石１０を圧入している。
【００２０】
フック部９における上記の表面・裏面間に貫通穴を設け、これに磁石１０を嵌め付けたことから、磁石１０は、その端面をフック部９の表面および裏面に露出させたことになる。磁石１０がこのように露出すると、それがもつ磁束密度（約２０００ガウス）が両面において有効に発揮され、相手側の磁性体に対して強く磁力が及ぶ。ただし磁石１０は、後述のように、メジャーテープ３の巻き戻し時に受ける衝撃を軽微にすべく、フック部９の裏面からその端面が突出しないように取り付けている。
【００２１】
メジャーテープ３に対するフック部９の結合は、つぎのように行っている。フック部９のうちメジャーテープ３の長さ方向を向いている連結部９ａに、図４のように長穴１３を２個形成し、これらに、メジャーテープ３およびその下面の補強部材１５（図５参照）に固定したリベット１４を通す。これにより、メジャーテープ３と補強部材１５に対してフック部９を連結する。
【００２２】
フック部９に開けた長穴１３は、長径の向きをメジャーテープ３の長手方向に向けており、その寸法（長径）は、磁石１０の表面からフック部９の裏面までの厚み分だけ、リベット１４の直径よりも大きい。そのため、フック部９が前方（表面側）から押されるとき、磁石１０の表面がメジャーテープ３のゼロ点（基準点。０ｍｍ点）に一致し、フック部９が前方に引っ張られるときは、磁石１０を含めた厚みの分だけフック部９がスライドして、フック部９の裏面がメジャーテープ３のゼロ点に一致する。
【００２３】
フック部９をＨ形鋼などに押し当てて使う場合、磁石１０の表面でフック部９をＨ形鋼に固定しながら、メジャーテープ３を引き出して計測する。フック部９の裏面をＨ形鋼などに引っ掛けて使う場合は、磁石１０の裏面でフック部９をＨ形鋼に固定する。上記のようにフック部９が適切にスライドするので、磁石１０があるために厚みの大きいフック部９を使っているにもかかわらず誤差が大きくならず、同一目盛りで正確に測長が行える。なお、フック部９の表面にも裏面にも磁石１０が露出しているので、磁石１０がもつ磁力を十分に利用して測長作業を楽に行うことができる。
【００２４】
メジャーテープ３が巻き戻されるときケース２の繰り出し口８にフック部９が当たることによる衝撃を吸収するため、繰り出し口８の内部にはクッション１２を配置している。クッション１２は、弾性に富んだ合成樹脂により、図５に示すように両側にＵ字状の屈曲部１７を設けながら四辺形に近い環状に形成したものである。前方部分（メジャーテープ３の先端に近い側）を繰り出し口８の先方に出し、後方部分は、ケース２に一体に形成したストッパ１８で位置決めする。メジャーテープ３が急速に巻き戻されてフック部９が繰り出し口８に達し、その裏面がクッション１２の前方部分に当たったとき、クッション１２（とくに屈曲部１７）の変形によってその衝撃が吸収される。フック部９がこのような衝撃吸収作用を受けることに加え、そのフック部９の裏面上に磁石１０が突出していない（ゆえに衝撃力が磁石１０に集中しない）ことから、磁石１０は、損傷したり脱落したりすることが効果的に防止される。
【００２５】
図６は、フック部９に対する磁石１０の取り付けに関して別の実施形態を示す部分断面図である。フック部９に対して筒状部１９を一体に形成し、その筒状部１９内に磁石１０を圧入にて嵌め付ける例を示している。フック部９に筒状部１９を形成するには、たとえばプレス機械によって張出し加工と穴加工とを行う。
双方の加工を同時に（つまりポンチの１ストロークで）行えば、製造能率が向上して好ましい。
【００２６】
図６のようにすると、筒状部１９によって磁石１０の周面が保護および拘束されるので、磁石１０が破損または脱落するのを防止できる。磁石１０の両端面の位置を筒状部１９の端部に一致させれば、磁石１０の保護と磁力の発揮との両面において極めて有利である。
【００２７】
なお、図６のように筒状部１９を設けるとき、その内側面にねじを形成するとともに磁石１０の周面にもねじを形成して、ねじ結合によってフック部９に磁石１０を固定する、ということも可能である。また、もしフック部９の裏面側に筒状部１９を形成したなら、そちら側に突出させて筒状部１９を設けることも可能である。
そのほか、小型の磁石１０を用いながら強い磁力を得るためには、磁石１０として希土類コバルト系の永久磁石を使用するのもよい。
【００２８】
【発明の効果】
請求項１に記載した巻尺によると、フック部の表面と裏面のどちらにおいても磁力が強く、そのために測長作業が行いやすい。
請求項２に記載した巻尺では、１個の磁石の両面を利用することができ、製造コストを削減できる。
請求項３に記載の巻尺なら、磁石の取り付けを低コストで行える。
【００２９】
請求項４に記載した巻尺によれば、メジャーテープの巻き戻し時の衝撃で磁石が損傷したり脱落したりするのを防止できる。
請求項５または請求項６に記載の巻尺なら、磁石の損傷や脱落をさらに効果的に防止できる。
【００３０】
請求項７に記載した巻尺ではフック部が移動するので、フック部のどちらの面を使っても正確な測長が行える。
【図面の簡単な説明】
【図１】発明の実施についての一形態である巻尺１の側面図である。
【図２】巻尺１の正面図であって、図１におけるＩＩ−ＩＩ矢視図である。
【図３】繰り出し口８の周辺を拡大して示す、図２におけるＩＩＩ−ＩＩＩ断面図である。
【図４】繰り出し口８からメジャーテープ３が引き出されている状態を上から見た、図１におけるＩＶ−ＩＶ断面図である。
【図５】図４の状態を下から見た、図１におけるＶ−Ｖ断面図である。
【図６】磁石１０の取り付けに関する別の実施形態を示す部分断面図である。
【図７】従来の巻尺１’の全体を模式的に示す側面図である。
【符号の説明】
１  巻尺
２  ケース
３  メジャーテープ
８  繰り出し口
９  フック部
１０  磁石
１２  クッション
１３  長穴
１４  リベット
１７  屈曲部
【図１】
2004239787.tif 000003
【図２】
2004239787.tif 000004
【図３】
2004239787.tif 000005
【図４】
2004239787.tif 000006
【図５】
2004239787.tif 000007
【図６】
2004239787.tif 000008
【図７】
2004239787.tif 000009
【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
ケースに収容されたメジャーテープが、ケースに設けられた繰り出し口を通して引き出されたり巻き戻されたりする巻尺であって、メジャーテープの先端のフック部に、そのフック部よりも厚い磁石が、フック部を表裏間に貫通していながらフック部の裏面に突出してはいない状態で、フック部の表面と裏面とに露出するように取り付けられていることを特徴とする巻尺。
【請求項２】
上記の磁石が、上記のフック部に設けられた穴に圧入されて取り付けられていることを特徴とする請求項１に記載の巻尺。
【請求項３】
上記のメジャーテープの繰り出し口に、巻き戻し時の衝撃を緩和するためのクッションが設けられていることを特徴とする請求項１または２に記載の巻尺。
【請求項４】
上記のフック部に筒状部が形成されていて、その内部に磁石が嵌め付けられていることを特徴とする請求項１〜３のいずれかに記載の巻尺。
【請求項５】
上記のフック部は、磁石を含む厚さの分だけ前後移動できるようにメジャーテープに取り付けられていることを特徴とする請求項１〜４のいずれかに記載の巻尺。
【手続補正２】
【補正対象書類名】明細書
【補正対象項目名】０００７
【補正方法】変更
【補正の内容】
【０００７】
【課題を解決するための手段】
請求項１に記載した巻尺は、ケース内のメジャーテープが繰り出し口を通して出し入れされる巻尺であって、メジャーテープの先端のフック部（メジャーテープの長手方向から概ね直角に曲がった、係止爪となる部分）に、
・  そのフック部よりも厚い磁石が、
・  フック部を表裏間に貫通していながらフック部の裏面（ケースに近い裏側の面）に突出してはいない状態で、
・  フック部の表面（メジャーテープの先の方、つまりケースから遠い表側の面）と裏面とに露出するように
取り付けられていることを特徴とする。


【手続補正３】
【補正対象書類名】明細書
【補正対象項目名】０００８
【補正方法】変更
【補正の内容】
【０００８】
この巻尺は、フック部の両面に磁石が露出しているので、測長の基準とする部分（磁性を備えた面）にフック部の表側を押し当てる場合と、同部分にフック部の裏側を引っ掛ける場合とのいずれにおいても、磁石の力を十分に発揮させて、基準とする部分にフック部を固定することができる。そのため、巻尺による測長作業が行いやすくなる。
また、上記の磁石が、上記のフック部を表裏間に貫通する状態で取り付けられているので、フック部の表面・裏面のそれぞれに別の磁石を付けるようにするのに比べ、１個の磁石をフック部の両面に露出させることができ、磁石の数が少なくてすみ、製造コストを低下させることができる。
しかも、そのような磁石が上記フック部の裏面に突出してはいないことから、メジャーテープを巻き戻したとき繰り出し口に磁石が強く当たることを避けられる。そのため、磁石の損傷や脱落が効果的に防止される。なお、磁石がフック部の裏面に突出していないようにするには、磁石のうちケース寄りの端面が、フック部の裏面と同一の面内にあり、またはフック部の裏面よりも前方（ケースから離れた側）にあるようにする。
【手続補正４】
【補正対象書類名】明細書
【補正対象項目名】０００９
【補正方法】変更
【補正の内容】
【０００９】
さらに、請求項２に記載した巻尺のように、上記の磁石は、フック部に設けられた穴に圧入されて取り付けられているのが好ましい。圧入は、磁石を、その外法寸法（外径など）よりも内法寸法（内径など）の小さめの穴（したがって締めしろがある穴）に、圧力をかけて押し込むことをいう。
圧入による磁石の取り付けは、取り付けのための部品（ボルト・ナット等）や接着剤が不要になるので、製造コストをさらに削減できる。


【手続補正５】
【補正対象書類名】明細書
【補正対象項目名】００１０
【補正方法】変更
【補正の内容】
【００１０】
請求項３に記載した巻尺は、さらに、上記のメジャーテープの繰り出し口に、巻き戻し時（つまり、メジャーテープがケース内に引き込まれてフック部が繰り出し口に当たるとき）の衝撃を緩和するためのクッションが設けられていることを特徴とする。クッションは、どのような構造のものでもよいが、たとえば、弾性変形しやすい部材を、繰り出し口の、フック部の当たる位置に設けるとよい。
この巻尺は、引き出したメジャーテープを、ケース内のスプリング等の作用で迅速に巻き戻すときも、フック部が繰り出し口に当たるときの衝撃をクッションによって小さくする。そのため、磁石やフック部、さらにはケース（の繰り出し口付近）が破損しがたく、また、フック部からの磁石の脱落も効果的に防止される。


【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
請求項４に記載の巻尺のように、上記のフック部に筒状部が形成されていて、その内側に磁石が嵌め付けられているのもよい。筒状部は、フック部の面（表面または裏面）と直角に中心軸線を有する円筒状または角筒状の部分で、図６中の符号１９がその一例である。
筒状部の内部に磁石が嵌め付けられると、フック部と磁石との接触面積が大きくなるので、磁石をフック部にて強く拘束し、かつ保護することになり、その脱落や損傷をとくに効果的に防止できる。たとえば図６のように筒状部の端部から磁石が突出しないように取り付ければ、基準とする部分にフック部を押し当てたり引っ掛けたりするとき、またはメジャーテープをケース内に巻き戻すとき等に磁石が外力を受けにくい。その点は、磁石の脱落や損傷を防止するうえで最も有利である。


【手続補正８】
【補正対象書類名】明細書
【補正対象項目名】００１３
【補正方法】変更
【補正の内容】
【００１３】
請求項５に記載した巻尺は、上記のフック部が、磁石を含む厚さの分だけ前後移動できるようにメジャーテープに取り付けられていることを特徴とする。
このように構成した巻尺は、メジャーテープを押し当てて測長するときのフック部の表面と、引っ掛けて測長するときのフック部の裏面とを、それぞれメジャーテープの基準位置（０ｍｍ点）に合わせることが可能である。したがって、フック部の表裏どちらの面を使っても正確な測長が行える。


【手続補正９】
【補正対象書類名】明細書
【補正対象項目名】００２８
【補正方法】変更
【補正の内容】
【００２８】
【発明の効果】
請求項１に記載した巻尺によると、フック部の表面と裏面のどちらにおいても磁力が強く、そのために測長作業が行いやすい。また、１個の磁石の両面を利用することができ製造コストを削減できるほか、磁石の損傷や脱落が効果的に防止できる。
請求項２に記載の巻尺なら、磁石の取り付けを低コストで行える。


【手続補正１０】
【補正対象書類名】明細書
【補正対象項目名】００２９
【補正方法】変更
【補正の内容】
【００２９】
請求項３に記載した巻尺によれば、メジャーテープの巻き戻し時の衝撃で磁石が損傷したり脱落したりするのを防止できる。
請求項４に記載の巻尺なら、磁石の損傷や脱落をさらに効果的に防止できる。


【手続補正１１】
【補正対象書類名】明細書
【補正対象項目名】００３０
【補正方法】変更
【補正の内容】
【００３０】
請求項５に記載した巻尺ではフック部が移動するので、フック部のどちらの面を使っても正確な測長が行える。